【手続補正書】
【提出日】平成19年3月9日(2007.3.9)
【手続補正１】
【補正対象書類名】明細書
【補正対象項目名】特許請求の範囲
【補正方法】変更
【補正の内容】
【特許請求の範囲】
【請求項１】  円筒形の導体上に感光体が形成された回転可能な感光手段と、該感光手段に接する抵抗体が形成された回転可能な帯電手段と、該帯電手段により帯電された前記感光手段の表面上を走査して、前記感光体の表面に静電潜像を形成する光走査手段と、着色荷電粒子を前記感光手段の表面に付着させて、前記光走査手段で形成された静電潜像に応じた着色荷電粒子像を形成する現像手段と、該現像手段により前記感光体の表面上に形成された前記着色荷電粒子像を記録媒体上に転写する転写手段とを備えた画像形成装置において、
前記帯電手段に接続されて直流電圧と交流電圧を重畳した電圧を供給する電源供給手段と、
該電源供給手段から供給される交流電圧の振幅を複数段階に切換えるための交流電圧切換え手段と、
前記電源供給手段から前記帯電手段を経て前記感光手段に放電される放電量を測定する放電量測定手段と、
画像形成を行った記録媒体数を計上する記録媒体数計上手段とを備え、
該記録媒体数計上手段で計上した記録媒体数が所定数に達した際に、前記放電量測定手段を用いて前記帯電手段から前記感光手段へ放電される放電量の測定を行い、該放電量が所定範囲内となるように前記交流電圧切換え手段により前記電源供給手段の交流電圧の振幅を減少させ、過度の放電を抑制して前記感光体における感光体層の消耗を軽減したことを特徴とする画像形成装置。
【請求項２】  画像形成動作前の前回転時に前記放電量測定手段を用いて前記帯電手段から前記感光手段へ放電される放電量の測定を行い、画像形成動作時における放電量が所定範囲内となるように前記交流電圧切換え手段により前記電源供給手段の交流電圧の振幅を変化させるようにしたことを特徴とする請求項１に記載の画像形成装置。
【請求項３】  画像形成動作後の後回転時には放電量が最小となるように前記交流電圧切換え手段により前記電源供給手段の交流電圧の振幅を設定することで、後回転時における放電量を抑制して前記感光体における感光体層の消耗を軽減したことを特徴とする請求項１又は２に記載の画像形成装置。
【請求項４】  円筒形の導体上に感光体が形成された回転可能な感光手段と、該感光手段に接する抵抗体が形成された回転可能な帯電手段と、該帯電手段により帯電された前記感光手段の表面上を走査して、前記感光体の表面に静電潜像を形成する光走査手段と、着色荷電粒子を前記感光手段の表面に付着させて、前記光走査手段で形成された静電潜像に応じた着色荷電粒子像を形成する現像手段と、該現像手段により前記感光体の表面上に形成された前記着色荷電粒子像を記録媒体上に転写する転写手段と、前記帯電手段に接続されて直流電圧と交流電圧を重畳した電圧を供給する電源供給手段とを備えた画像形成装置における画像形成方法において、
前記電源供給手段から供給される交流電圧の振幅を複数段階に切換えるための交流電圧切換えステップと、
前記電源供給手段から前記帯電手段を経て前記感光手段に放電される放電量を測定する放電量測定ステップと、
画像形成を行った記録媒体数を計上する記録媒体数計上ステップとを備え、
該記録媒体数計上ステップで計上した記録媒体数が所定数に達した際に、前記放電量測定ステップを用いて前記帯電手段から前記感光手段へ放電される放電量の測定を行い、該放電量が所定範囲内となるように前記交流電圧切換えステップにより前記電源供給手段の交流電圧の振幅を減少させ、過度の放電を抑制して前記感光体における感光体層の消耗を軽減したことを特徴とする画像形成方法。
【請求項５】  画像形成動作前の前回転時に前記放電量測定ステップにより前記帯電手段から前記感光手段へ放電される放電量の測定を行い、画像形成動作時における放電量が所定範囲内となるように前記交流電圧切換えステップで前記電源供給手段の交流電圧の振幅を変化させるようにしたことを特徴とする請求項４に記載の画像形成方法。
【請求項６】  画像形成動作後の後回転時には放電量が最小となるように前記交流電圧切換えステップにより前記電源供給手段の交流電圧の振幅を設定することで、後回転時における放電量を抑制して前記感光体における感光体層の消耗を軽減したことを特徴とする請求項４又は５に記載の画像形成方法。
【手続補正２】
【補正対象書類名】明細書
【補正対象項目名】００２０
【補正方法】変更
【補正の内容】
【００２０】
【課題を解決するための手段】
本発明は、このような目的を達成するために、円筒形の導体上に感光体が形成された回転可能な感光手段と、該感光手段に接する抵抗体が形成された回転可能な帯電手段と、該帯電手段により帯電された前記感光手段の表面上を走査して、前記感光体の表面に静電潜像を形成する光走査手段と、着色荷電粒子を前記感光手段の表面に付着させて、前記光走査手段で形成された静電潜像に応じた着色荷電粒子像を形成する現像手段と、該現像手段により前記感光体の表面上に形成された前記着色荷電粒子像を記録媒体上に転写する転写手段とを備えた画像形成装置において、前記帯電手段に接続されて直流電圧と交流電圧を重畳した電圧を供給する電源供給手段と、該電源供給手段から供給される交流電圧の振幅を複数段階に切換えるための交流電圧切換え手段と、前記電源供給手段から前記帯電手段を経て前記感光手段に放電される放電量を測定する放電量測定手段と、画像形成を行った記録媒体数を計上する記録媒体数計上手段とを備え、該記録媒体数計上手段で計上した記録媒体数が所定数に達した際に、前記放電量測定手段を用いて前記帯電手段から前記感光手段へ放電される放電量の測定を行い、該放電量が所定範囲内となるように前記交流電圧切換え手段により前記電源供給手段の交流電圧の振幅を減少させ、過度の放電を抑制して前記感光体における感光体層の消耗を軽減したことを特徴とする。これにより、感光体における放電量の増加を抑制して感光体層の消耗を軽減することができ、低コスト・省スペースで画像形成装置の高速化・高寿命化が可能となる。
【手続補正３】
【補正対象書類名】明細書
【補正対象項目名】００２１
【補正方法】変更
【補正の内容】
【００２１】
また、印字を開始する際に前回転を行い、感光体に帯電電圧を印加して感光体の表面電位を予め所定電位に帯電させる画像形成装置においては、画像形成動作前の前回転時に前記放電量測定手段を用いて前記帯電手段から前記感光手段へ放電される放電量の測定を行い、画像形成動作時における放電量が所定範囲内となるように前記交流電圧切換え手段により前記電源供給手段の交流電圧の振幅を変化させるようにしたことを特徴とする。これにより、感光体における放電量の増加を更に抑制して感光体層の消耗を軽減することが可能となる。
【手続補正４】
【補正対象書類名】明細書
【補正対象項目名】００２２
【補正方法】変更
【補正の内容】
【００２２】
また、印字終了時に感光手段の除電および転写手段のクリーニング等を行うための後回転を行う画像形成装置においては、画像形成動作後の後回転時には放電量が最小となるように前記交流電圧切換え手段により前記電源供給手段の交流電圧の振幅を設定することで、後回転時における放電量を抑制して前記感光体における感光体層の消耗を軽減したことを特徴とする。これにより、後回転時における放電による感光体層の消耗を軽減することが可能となる。
【手続補正５】
【補正対象書類名】明細書
【補正対象項目名】００２３
【補正方法】変更
【補正の内容】
【００２３】
また、円筒形の導体上に感光体が形成された回転可能な感光手段と、該感光手段に接する抵抗体が形成された回転可能な帯電手段と、該帯電手段により帯電された前記感光手段の表面上を走査して、前記感光体の表面に静電潜像を形成する光走査手段と、着色荷電粒子を前記感光手段の表面に付着させて、前記光走査手段で形成された静電潜像に応じた着色荷電粒子像を形成する現像手段と、該現像手段により前記感光体の表面上に形成された前記着色荷電粒子像を記録媒体上に転写する転写手段と、前記帯電手段に接続されて直流電圧と交流電圧を重畳した電圧を供給する電源供給手段とを備えた画像形成装置における画像形成方法において、前記電源供給手段から供給される交流電圧の振幅を複数段階に切換えるための交流電圧切換えステップと、前記電源供給手段から前記帯電手段を経て前記感光手段に放電される放電量を測定する放電量測定ステップと、画像形成を行った記録媒体数を計上する記録媒体数計上ステップとを備え、該記録媒体数計上ステップで計上した記録媒体数が所定数に達した際に、前記放電量測定ステップを用いて前記帯電手段から前記感光手段へ放電される放電量の測定を行い、該放電量が所定範囲内となるように前記交流電圧切換えステップにより前記電源供給手段の交流電圧の振幅を減少させ、過度の放電を抑制して前記感光体における感光体層の消耗を軽減したことを特徴とする。
【手続補正６】
【補正対象書類名】明細書
【補正対象項目名】００２４
【補正方法】変更
【補正の内容】
【００２４】
また、画像形成動作前の前回転時に前記放電量測定ステップにより前記帯電手段から前記感光手段へ放電される放電量の測定を行い、画像形成動作時における放電量が所定範囲内となるように前記交流電圧切換えステップで前記電源供給手段の交流電圧の振幅を変化させるようにしたことを特徴とする。
【手続補正７】
【補正対象書類名】明細書
【補正対象項目名】００２５
【補正方法】変更
【補正の内容】
【００２５】
また、画像形成動作後の後回転時には放電量が最小となるように前記交流電圧切換えステップにより前記電源供給手段の交流電圧の振幅を設定することで、後回転時における放電量を抑制して前記感光体における感光体層の消耗を軽減したことを特徴とする。
【手続補正８】
【補正対象書類名】明細書
【補正対象項目名】００３８
【補正方法】変更
【補正の内容】
【００３８】
【発明の効果】
以上説明したように本発明によれば、円筒形の導体上に感光体が形成された回転可能な感光手段と、この感光手段に接する抵抗体が形成された回転可能な帯電手段と、この帯電手段により帯電された感光手段の表面上を走査して、感光体の表面に静電潜像を形成する光走査手段と、着色荷電粒子を感光手段の表面に付着させて、光走査手段で形成された静電潜像に応じた着色荷電粒子像を形成する現像手段と、この現像手段により感光体の表面上に形成された着色荷電粒子像を記録媒体上に転写する転写手段とを備えた画像形成装置において、帯電手段に接続されて直流電圧と交流電圧を重畳した電圧を供給する電源供給手段と、この電源供給手段から供給される交流電圧の振幅を複数段階に切換えるための交流電圧切換え手段と、電源供給手段から帯電手段を経て感光手段に放電される放電量を測定する放電量測定手段と、画像形成を行った記録媒体数を計上する記録媒体数計上手段とを備え、この記録媒体数計上手段で計上した記録媒体数が所定数に達した際に、放電量測定手段を用いて帯電手段から感光手段へ放電される放電量の測定を行い、この放電量が所定範囲内となるように交流電圧切換え手段により電源供給手段の交流電圧の振幅を減少させ、過度の放電を抑制して感光体における感光体層の消耗を軽減したので、感光体における放電量の増加を抑制して感光体層の消耗を軽減することができ、低コスト・省スペースで画像形成装置の高速化・高寿命化が可能となる。
【手続補正９】
【補正対象書類名】明細書
【補正対象項目名】００３９
【補正方法】変更
【補正の内容】
【００３９】
また、印字を開始する際に前回転を行い、感光体に帯電電圧を印加して感光体の表面電位を予め所定電位に帯電させる画像形成装置においては、画像形成動作前の前回転時に放電量測定手段を用いて帯電手段から感光手段へ放電される放電量の測定を行い、画像形成動作時における放電量が所定範囲内となるように交流電圧切換え手段により電源供給手段の交流電圧の振幅を変化させるようにしたので、感光体における放電量の増加を更に抑制して感光体層の消耗を軽減することが可能となる。
【手続補正１０】
【補正対象書類名】明細書
【補正対象項目名】００４０
【補正方法】変更
【補正の内容】
【００４０】
また、印字終了時に感光手段の除電および転写手段のクリーニング等を行うための後回転を行う画像形成装置においては、画像形成動作後の後回転時には放電量が最小となるように交流電圧切換え手段により電源供給手段の交流電圧の振幅を設定することで、後回転時における放電量を抑制して感光体における感光体層の消耗を軽減したので、後回転時における放電による感光体層の消耗を軽減することが可能となる。